(57)【要約】【課題】サービス・リンキング情報等の代替サービスに関する情報の提供がなされていない場合でも、視聴中のプログラムの視聴を、受信状態の悪化等にかかわらず、容易に続行できるようにする。【解決手段】放送される視聴単位の識別情報を多重化させて放送するＤＡＢやＲＤＳ方式による多重放送を受信する多重放送受信装置において、ＤＡＢにおけるサービスのような視聴単位の受信に際して得られる視聴単位の識別情報及び各視聴単位の放送に使用される周波数の情報を記憶し、電源オフ後も保持するようにする。その後、必要に応じて、受信中の視聴単位についての代替周波数を、保持している情報から検索して取得し、取得した代替周波数による受信を試みる。【選択図】　　　図１
2004040386.tif 000002
【特許請求の範囲】
【請求項１】
放送される視聴単位の識別情報を多重化させて放送する多重放送を受信する多重放送受信装置において、
前記視聴単位の受信に際して得られる前記視聴単位の識別情報及び対応する周波数の情報を記憶して電源オフ後も保持する記憶手段を具備することを特徴とする多重放送受信装置。
【請求項２】
受信中の前記視聴単位の代替周波数を前記記憶手段から検索して取得する検索手段を具備することを特徴とする請求項１に記載の多重放送受信装置。
【請求項３】
前記多重放送はＤＡＢ方式によるものであり、前記検索手段は、前記受信中の視聴単位について、ＤＡＢデータフレーム中のＦＩＧ０／６領域に有効なサービス・リンキング情報が存在しない場合に前記検索を行うものであることを特徴とする請求項２に記載の多重放送受信装置。
【請求項４】
前記記憶手段は、前記保持すべき識別情報及び周波数情報として、受信中の前記視聴単位の識別情報及び受信周波数を記憶するものであることを特徴とする請求項１〜３のいずれか１項に記載の多重放送受信装置。
【請求項５】
前記多重放送はＤＡＢ方式によるものであり、前記記憶手段は、前記保持すべき識別情報及び周波数情報として、受信中のＤＡＢデータフレーム中のＦＩＧ０／２１領域におけるサービスのＳＩｄと周波数との対応情報を記憶するものであることを特徴とする請求項１〜４のいずれか１項に記載の多重放送受信装置。
【請求項６】
前記多重放送はＲＤＳ方式によるものであり、前記視聴単位の識別情報はＰＩコードであることを特徴とする請求項１又は２に記載の多重放送受信装置。
【請求項７】
放送される視聴単位の識別情報を多重化させて放送する多重放送を受信する多重放送受信方法において、
前記視聴単位の受信に際して得られる前記視聴単位の識別情報及び対応する周波数の情報を記憶し、受信用の電源のオフ後も保持する記憶工程を具備することを特徴とする多重化放送受信方法。
【請求項８】
受信中の前記視聴単位の代替周波数を、前記保持をしている情報から検索して取得する検索工程を具備することを特徴とする請求項７に記載の多重放送受信方法。
【請求項９】
前記多重放送はＤＡＢ方式によるものであり、前記受信中の視聴単位について、ＤＡＢデータフレーム中のＦＩＧ０／６領域に有効なサービス・リンキング情報が存在しない場合に前記検索工程における検索を行うことを特徴とする請求項８に記載の多重放送受信方法。
【請求項１０】
前記記憶工程では、前記保持すべき識別情報及び周波数情報として、受信中の前記視聴単位の識別情報及び受信周波数を記憶することを特徴とする請求項７〜９のいずれか１項に記載の多重放送受信方法。
【請求項１１】
前記多重放送はＤＡＢ方式によるものであり、前記記憶工程では、前記保持すべき識別情報及び周波数情報として、受信中のＤＡＢデータフレーム中のＦＩＧ０／２１領域におけるサービスのＳＩｄと周波数との対応情報を記憶することを特徴とする請求項７〜１０のいずれか１項に記載の多重放送受信方法。
【請求項１２】
前記多重放送はＲＤＳ方式によるものであり、前記視聴単位の識別情報はＰＩコードであることを特徴とする請求項７又は８に記載の多重放送受信方法。
【発明の詳細な説明】
【０００１】
【発明の属する技術分野】
本発明は、多重放送の受信装置及び受信方法に関する。
【０００２】
【従来の技術】
ＤＡＢ（Ｄｉｇｉｔａｌ　Ａｕｄｉｏ　Ｂｒｏａｄｃａｓｔｉｎｇ）の規格によれば、ＦＩＧ（Ｆａｓｔ　Ｉｎｆｏｒｍａｔｉｏｎ　Ｇｒｏｕｐ）０／６において、各サービスについてのサービス・リンキング情報を提供できるようになっている。この情報によれば、同じプログラムを放送しているＦＭやＡＭ放送の周波数に関する情報や、同じＤＡＢ内の別のアンサンブル（Ｅｎｓｅｍｂｌｅ）の情報等を取得することができる。これにより、現在受信しているサービスの受信状態が悪化した場合は自動的に、同じプログラムを放送しているより良い受信状態の放送に切り替えることを可能にしている。つまり、サービス・リンキング情報は、ＦＭ波を用いたＲＤＳ（Ｒａｄｉｏ　Ｄａｔａ　Ｓｙｓｔｅｍ）におけるＡＦリスト（Ａｌｔｅｒｎａｔｉｖｅ　Ｆｒｅｑｕｅｎｃｉｅｓ　Ｌｉｓｔ）による自動トラッキング・システムと同様な機能を可能にするものである。
【０００３】
図６は従来技術に係るＤＡＢ放送受信機の構成を示すブロック図である。同図において、３１はアンテナ３２に入射する電波から所定周波数のＤＡＢ信号を抽出するＲＦ部、３３はＲＦ部３１からのＤＡＢ信号に基づき、ＤＡＢフレームデータを出力する復調部、３４は復調部３３からのＤＡＢフレームデータをデコードし、オーディオフレームを再生して出力するチャンネルデコーダ、３５はチャンネルデコーダ３４からのオーディオフレームに基づき、ディジタルオーディオデータをスピーカ等に出力するオーディオデーコーダである。３６はＤＡＢデータの処理や装置各部の制御を行うＤＡＢデータ処理部／制御部であり、表示部３７、操作部３８及びメモリ３９が接続されている。
【０００４】
図７はこのＤＡＢ放送受信機の動作を示すフローチャートである。ＤＡＢデータ処理部／制御部３６は、ＤＡＢ放送によるサービスの受信中、ステップ４１において受信状態の悪化の有無を監視している。受信状態の悪化が検出されると、ステップ４２においてＤＡＢフレームデータ中のＦＩＧ０／６領域に有効なサービス・リンキング情報が存在するか否かを判定する。有効なサービス・リンキング情報が存在しない場合は何ら処理を行うことなく（ステップ４５）ステップ４１へ戻る。つまり、受信中のサービスの受信を、良好でない受信状態のまま続行することになる。
【０００５】
ステップ４２において有効なサービス・リンキング情報が存在すると判定した場合は、ステップ４３において、サービス・リンキング情報により示される、受信中のプログラムと同一のプログラムを放送しているサービスを順次受信し、受信状態が良好なものがあれば、そのサービスの受信を継続する。次にステップ４４において、受信状態が良好なサービスの受信を獲得できたかどうかを判定し、獲得できたと判定した場合は、その受信を続行し、ステップ４１へ戻る。受信状態が良好なサービスの受信を獲得できなかったと判定した場合は元のサービスの受信を継続し、ステップ４１へ戻る。
【０００６】
これによれば、受信中のサービスの受信状態が悪化しても、有効なサービス・リンキング情報が存在し、かつ受信状態が良好なリンクしているサービスが存在する場合は、そのサービスの受信へ自動的に切り替わる。したがってこの場合、ユーザは、受信状態が悪化しても、聴取中のプログラムを、良好な受信状態において継続して聴取することができる。
【０００７】
【発明が解決しようとする課題】
しかしながら、ＤＡＢ方式による放送を行うに際し、ＤＡＢフレームデータ中のＦＩＧ０／６におけるサービス・リンキング情報を提供するか否かは、あくまでも放送局側に委ねられている。このため、国や放送局によってはサービス・リンキング情報を提供していない場合も多い。そのような場合、上述の従来技術によれば、サービス・リンキング情報による代替サービスへの切り替えを行うことができないため、受信状態が悪化すると、受信中のプログラムの聴取を良好な受信状態で容易に継続することができないという問題がある。
【０００８】
本発明の目的は、このような従来技術の問題点に鑑み、ＤＡＢ放送等の受信に際し、受信中のサービス（放送単位）について、サービス・リンキング情報等の代替サービスに関する情報の提供がなされていない場合でも、聴取中のプログラム（番組）の聴取を、受信状態の悪化等にかかわらず、容易に続行できるようにすることにある。
【０００９】
【課題を解決するための手段】
この目的を達成するため、第１の発明に係る多重放送受信装置は、放送される視聴単位の識別情報を多重化させて放送する多重放送を受信する多重放送受信装置において、前記視聴単位の受信に際して得られる前記視聴単位の識別情報及び対応する周波数の情報を記憶して電源オフ後も保持する記憶手段を具備することを特徴とする。
【００１０】
ここで、多重放送としては、たとえばＤＡＢ方式やＲＤＳ方式による放送が該当する。視聴単位とは、ユーザが視聴を選択し得る単位をいい、たとえばＤＡＢ方式におけるサービス、ＲＤＳ方式におけるプログラムが該当する。視聴には、ここでは聴取のみの場合も含まれる。視聴単位の識別情報とは、たとえばＤＡＢ方式におけるＳＩｄ（Ｓｅｒｖｉｃｅ　Ｉｄｅｎｔｉｆｉｅｒ）やＲＤＳ方式におけるＰＩコード（Ｐｒｏｇｒａｍ　Ｉｄｅｎｔｉｆｉｃａｔｉｏｎ　ｃｏｄｅ）が該当する。記憶手段としては、たとえば不揮発性のメモリたとえばフラッシュ・メモリを用いたものが該当する。
【００１１】
この構成において、記憶手段は、種々の視聴単位の受信が行われる毎に、各視聴単位の識別情報及び対応する周波数の情報を記憶する。これらの情報は、電源オフ後も保持されるため、種々の視聴単位の視聴が繰り返し行われてゆくにつれて累積されてゆく。各視聴単位は、同一の視聴単位が異なる場所において異なる周波数で放送されている場合がある。したがって、受信場所を変えながら累積された情報中には、同一の視聴単位について異なる複数の周波数が記憶されている場合がある。つまり、累積された情報は各視聴単位についての代替となる周波数の情報を含み得ることになり、記憶手段は各視聴単位の代替周波数を記録したデータベースとして機能することができる。これにより、たとえば、ある視聴単位の受信中に受信状態が悪化し、受信が困難になると、受信中の視聴単位の識別情報に基づいてその代替周波数を記憶手段から検索して取得し、その代替周波数において同一内容の受信を続行することも可能となる。
【００１２】
第２の発明に係る多重放送受信装置は、第１発明において、受信中の前記視聴単位の代替周波数を前記記憶手段から検索して取得する検索手段を具備することを特徴とする。ここで、代替周波数とは、受信中の視聴単位の受信に使用される別の周波数を意味する。受信中の視聴単位の識別情報をキーとして、記憶手段に記憶されている情報を検索することによって取得することができる。また、受信中の視聴単位とは、受信波に複数の視聴単位が多重化されている場合は、ユーザが実際に視聴している単一の視聴単位を意味する。
【００１３】
第３の発明に係る多重放送受信装置は、第２発明において、前記多重放送はＤＡＢ方式によるものであり、前記検索手段は、前記受信中の視聴単位について、ＤＡＢデータフレーム中のＦＩＧ０／６領域に有効なサービス・リンキング情報が存在しない場合に前記検索を行うものであることを特徴とする。
【００１４】
第４の発明に係る多重放送受信装置は、第１〜第３のいずれかの発明において、前記記憶手段は、前記保持すべき識別情報及び周波数情報として、受信中の前記視聴単位の識別情報及び受信周波数を記憶するものであることを特徴とする。
【００１５】
第５の発明に係る多重放送受信装置は、前記多重放送はＤＡＢ方式によるものであり、前記記憶手段は、前記保持すべき識別情報及び周波数情報として、受信中のＤＡＢデータフレーム中のＦＩＧ０／２１領域におけるサービスのＳＩｄ（Ｓｅｒｖｉｃｅ　Ｉｄｅｎｔｉｆｉｅｒ）と周波数との対応情報を記憶するものであることを特徴とする。
【００１６】
第６の発明に係る多重放送受信装置は、第１又は第２発明において、前記多重放送はＲＤＳ方式によるものであり、前記視聴単位の識別情報はＰＩコードであることを特徴とする。
【００１７】
第７の発明に係る多重放送受信方法は、放送される視聴単位の識別情報を多重化させて放送する多重放送を受信する多重放送受信方法において、前記視聴単位の受信に際して得られる前記視聴単位の識別情報及び対応する周波数の情報を記憶し、受信用の電源のオフ後も保持する記憶工程を具備することを特徴とする。
【００１８】
第８の発明に係る多重方法受信方法は、第７発明において、受信中の前記視聴単位の代替周波数を、前記保持をしている情報から検索して取得する検索工程を具備することを特徴とする。
【００１９】
第９の発明に係る多重放送受信方法は、第８発明において、前記多重放送はＤＡＢ方式によるものであり、前記受信中の視聴単位について、ＤＡＢデータフレーム中のＦＩＧ０／６領域に有効なサービス・リンキング情報が存在しない場合に前記検索工程における検索を行うことを特徴とする。
【００２０】
第１０の発明に係る多重放送受信方法は、第７〜第９のいずれかの発明において、前記記憶工程では、前記保持すべき識別情報及び周波数情報として、受信中の前記視聴単位の識別情報及び受信周波数を記憶することを特徴とする。
【００２１】
第１１の発明に係る多重放送受信方法は、第７〜第１０のいずれかの発明において、前記多重放送はＤＡＢ方式によるものであり、前記記憶工程では、前記保持すべき識別情報及び周波数情報として、受信中のＤＡＢデータフレーム中のＦＩＧ０／２１領域におけるサービスのＳＩｄと周波数との対応情報を記憶することを特徴とする。
【００２２】
第１２の発明に係る多重放送受信方法は、第７又は第８発明において、前記多重放送はＲＤＳ方式によるものであり、前記視聴単位の識別情報はＰＩコードであることを特徴とする。
【００２３】
【発明の実施の形態】
図１は本発明の一実施形態に係るＤＡＢ放送受信機の構成を示すブロック図である。同図において、１はアンテナに入射する電波から特定周波数のＤＡＢ信号を抽出して出力するＲＦ部、２はＲＦ部１からのＤＡＢ信号に基づき、ＤＡＢフレームデータを出力する復調部、３は復調部２からのＤＡＢフレームデータをデコードし、オーディオフレームを再生して出力するチャンネルデコーダ、４はチャンネルデコーダ３からのオーディオフレームに基づき、ディジタルオーディオデータをスピーカ等に出力するオーディオデーコーダである。５はＤＡＢデータの処理や装置各部の制御を行うＤＡＢデータ処理部／制御部であり、表示部６、操作部７、メモリ８及び不揮発メモリ９が接続されている。
【００２４】
ＲＦ部１は、アンテナからの信号のうち特定周波数のＤＡＢ信号を同調により抽出するため、局部信号生成用のＰＬＬ（Ｐｈａｓｅ　Ｌｏｃｋｅｄ　Ｌｏｏｐ）回路を備える。復調部２は、アナログディジタル変換器、ＦＦＴ（Ｆａｓｔ　Ｆｏｕｒｉｅｒ　Ｔｒａｎｓｆｏｒｍ）部やＩＱ復調部等を備え、ＲＦ部１から供給されるＤＡＢ信号をＤＱＰＳＫ（Ｄｉｆｆｅｒｅｎｔｉａｌ　Ｑｕａｄｒａｔｕｒｅ　Ｐｈａｓｅ　Ｓｈｉｆｔ　Ｋｅｙｉｎｇ）復調して得られるＤＡＢフレームデータをチャンネルデコーダ３に供給する。
【００２５】
図２はＤＡＢフレームデータの構造を示す。ＤＡＢフレームデータは、同図に示すように、受信機が番組を復調するのに必要な情報や番組に関する補助情報等を伝送するＦＩＣ（Ｆａｓｔ　Ｉｎｆｏｒａｍａｔｉｏｎ　Ｃｈａｎｎｅｌ）、及び多重化された音声やデータのサブチャンネル（Ｓｕｂ　Ｃｈａｎｎｅｌ）を伝送するＭＳＣ（Ｍａｉｎ　Ｓｅｒｖｉｃｅ　Ｃｈａｎｎｎｅｌ）を有する。ＦＩＣは複数のＦＩＢ（Ｆａｓｔ　Ｉｎｆｏｒａｍａｔｉｏｎ　Ｂｌｏｃｋ）を有し、ＦＩＢは複数のＦＩＧ（Ｆａｓｔ　Ｉｎｆｏｒａｍｔｉｏｎ　Ｇｒｏｕｐ）を有する。ＦＩＧには複数の種類が存在し、番組に関する補助情報や、ＭＳＣのＣＩＦ（Ｃｏｍｍｏｎ　Ｉｎｔｅｒｌｅａｖｅｄ　Ｆｒａｍｅ）内においてどのようにサブチャンネルが多重化されているかを示すＭＣＩ（Ｍｕｌｔｉｐｌｅｘ　Ｃｏｎｆｉｇｕｒａｔｉｏｎ　Ｉｎｆｏｒａｍａｔｉｏｎ）等の情報が存在する。
【００２６】
チャンネルデコーダ３は、デインタリーブ回路、誤り訂正回路等を備え、復調部２から供給されるＤＡＢフレームデータをデコードし、ＦＩＣをＤＡＢデータ処理部／制御部５に供給し、ＭＳＣをオーディオデコーダ４に供給する。ＤＡＢデータ処理部／制御部５は、ＣＰＵ（中央処理装置）、ＤＳＰ（デジタルシグナルプロセッサ）等で構成される。ＤＡＢデータ処理部／制御部５は、ＲＦ部１にＰＬＬ設定データ（同調のためのＰＬＬ回路の局部信号の周波数を設定するデータ）を出力し、復調部２を制御してＤＡＢフレームデータをチャンネルデコーダ３に供給し、さらに、チャンネルデコーダ３を制御して、ＦＩＣを取得し、受信するサービスに対応して再生対象とすべきオーディオフレームをオーディオデコーダ４に供給する。ＤＡＢデータ処理部／制御部５はまた、操作部７からの入力信号に応じて受信動作を開始し、表示部６に受信状態を示す表示データを出力する。
【００２７】
オーディオデコーダ４は、たとえば通常のＩＳＯ／ＭＰＥＧオーディオソースデコーダ等で構成され、チャンネルデコーダ３から供給されるオーディオフレームをサブバンド毎に再量子化及びスケーリングし、さらにサブバンド周波数合成及びディジタルオーディオ変換を行ってスピーカ等に出力する。操作部７は押ボタン等を有しており、ＤＡＢデータ処理部／制御部５に種々の指示、たとえば指定番組の検索指示等を入力するために用いられる。表示部６はＬＣＤ（液晶ディスプレイ）等を備え、操作部７による操作状況、ＤＡＢデータ処理部／制御部５での処理状況等を表示する。
【００２８】
メモリ８は、ＲＡＭ等で構成され、チャンネルデコーダ３から供給されるＦＩＣ等や、操作部７で入力される指示データや、受信状態を示すデータ等を記憶する。不揮発性メモリ９はフラッシュ・メモリ等で構成され、各サービスの受信に際して得られる各サービスのＳＩｄ及び各サービスの放送に使用される周波数の情報を記憶し、受信機の電源オフ後も保持する。
【００２９】
図３は図２のＤＡＢフレームデータにおけるＦＩＧ中のＦＩＧ０／２１（ＦＩＧタイプ０イクステンション２１）領域の概略を示す。ＦＩＧ０／２１は、図３に示すようにサービスＩＤと周波数との対応情報を有する。サービスＩＤ（ＳＩｄ）は、各サービスを識別するための識別符号であり、対応する周波数により受信することができる。
【００３０】
図４はＦＩＧ中のＦＩＧ０／６（ＦＩＧタイプ０イクステンション６）領域の概略を示す。ＦＩＧ０／６は同図に示すように、複数個のサービス・リンキング（Ｓｅｒｖｉｃｅ　ｌｉｎｋｉｎｇ）を含む。ＬＡ（Ｌｉｎｋａｇｅ　Ａｃｔｕａｔｏｒ：リンケージアクチュエータ）が０の場合はそのリンクが現在は非アクティブであるか又は将来のリンクであることを示す。ＬＡが１の場合はそのリンクが現在アクティブであることを示す。Ｉｄリストフラグ（Ｉｄ　ｌｉｓｔ　ｆｌａｇ）が０の場合は、Ｉｄリスト（Ｉｄ　ｌｉｓｔ）、Ｉｄ数（Ｎｕｍｂｅｒ　ｏｆ　Ｉｄｓ）等の領域が存在しないことを意味する。Ｉｄリストフラグが１の場合は、Ｉｄリスト、Ｉｄ数等の領域が存在することを意味する。Ｉｄ数は、Ｉｄリスト内のＳＩｄの個数を示す。Ｉｄリストはリンクしている各サービスをＳＩｄにより示す。
【００３１】
図５は図１の受信機の動作を示すフローチャートである。受信機は、あらかじめ種々のサービスを受信する毎にそのＳＩｄ及び受信周波数を不揮発性メモリ９に記録し、保持しているものとする。ＤＡＢデータ処理部／制御部５はサービスの受信中、ステップ２１において受信状態の悪化の有無を監視している。受信状態の悪化は、たとえば受信電波の電界強度を参照して検出することができる。受信状態の悪化を検出すると、ステップ２２において、受信中のＤＡＢデータフレームのＦＩＧ０／６に有効なサービス・リンキング情報が存在するか否かを判定する。ＬＡが１で、かつＩｄリストフラグが１であれば、有効なサービス・リンキング情報が存在すると判定する。他の場合は、有効なサービス・リンキング情報が存在しないと判定する。有効なサービス・リンキング情報が存在しないと判定した場合はステップ２５へ進み、存在すると判定した場合はステップ２３へ進む。
【００３２】
ステップ２３では、サービス・リンキング情報に従い、受信中の番組と同一の番組を放送している他のサービスの受信を試みる。すなわちＦＩＧ０／６中の、受信中のサービスに対応するＩｄリスト中に挙げられているＳＩｄで示されるサービスを順次受信してゆき、受信状態が良好なものがあれば、その受信を続行する。ここで、Ｉｄリスト中の各ＳＩｄで示されるサービスの受信は、図３のＦＩＧ０／２１から、各ＳＩｄに対応する周波数を取得して行うことができる。
【００３３】
次に、ステップ２４において、受信状態が良好なサービスの受信を獲得できたか否かを判定する。良好な受信を獲得できた場合はステップ２１へ戻る。獲得できなかった場合はステップ２５へ進む。
【００３４】
ステップ２５では、現在受信中のサービスについて、不揮発メモリ９内の代替周波数による受信を試みる。つまり、現在受信中のサービスと同一のＳＩｄに対応する周波数を不揮発メモリ９において順次検索し、それらの周波数による受信を試みる。そして、受信状態が良好なものがあれば、その受信を続行する。
【００３５】
次に、ステップ２６において、代替周波数による良好な受信状態でのサービスの受信を獲得できたか否かを判定し、獲得できた場合はその受信を継続し、ステップ２１へ戻る。獲得できなかった場合は、以前の周波数によるサービスの受信を継続し、何ら変更を生じさせずに（ステップ２７）、ステップ２１へ戻る。
【００３６】
これによれば、受信中のサービスの受信状態が悪化した場合において、ＤＡＢデータフレームのＦＩＧ０／６領域に有効なサービス・リンキング情報が存在しないときでも、不揮発メモリ９内に保持されている代替周波数を用い、同一サービスの受信を良好な受信状態で継続することができる。
【００３７】
なお、本発明は上述の実施形態に限定されることなく、適宜変形して実施することができる。たとえば、上述実施形態において特に言及はしなかったが、不揮発メモリ９が記憶して保持すべきＳＩｄ及び対応する周波数の情報は、受信中のＤＡＢデータフレーム中のＦＩＧ０／２１領域から取得するようにしてもよい。また、上述実施形態ではＤＡＢ放送を受信する場合について説明したが、本発明はＲＤＳ方式による放送を受信する場合にも適用することができる。その場合、ＳＩｄの代わりに、ＲＤＳにおけるＰＩコードを不揮発メモリ９に記憶させればよい。また、ＤＡＢ及びＲＤＳの双方を受信する受信機においても本発明を適用することができる。ＤＡＢにおけるサービスを特定するＳＩｄはＲＤＳにおけるＰＩコードと定義の仕方が同一であり、同一のサービス会社がＲＤＳ及びＤＡＢの双方の放送を行う場合、そのサービス会社のＲＤＳにおけるＰＩコードとＤＡＢにおけるＳＩｄとは一般的に同一だからである。
【００３８】
【発明の効果】
以上説明したように本発明によれば、視聴単位の受信に際して得られる視聴単位の識別情報及び対応する周波数の情報を記憶し、電源オフ後も保持するようにしたため、放送中の内容から代替周波数やリンクしているサービス等に関する情報が得られない場合でも、保持している情報に基づき、代替周波数を容易に取得することができる。したがって、視聴中のプログラムの視聴を、取得した代替周波数を用い、受信状態の悪化等にかかわらず、容易に続行することができる。
【図面の簡単な説明】
【図１】本発明の一実施形態に係るＤＡＢ放送受信機の構成を示すブロック図である。
【図２】ＤＡＢフレームデータの構造を示す図である。
【図３】図２のＤＡＢフレームデータにおけるＦＩＧ中のＦＩＧ０／２１領域を概略的に示す図である。
【図４】ＦＩＧ中のＦＩＧ０／６領域の概略を示す図である。
【図５】図１の受信機の動作を示すフローチャートである。
【図６】従来技術に係るＤＡＢ放送受信機の構成を示すブロック図である。
【図７】図６のＤＡＢ放送受信機の動作を示すフローチャートである。
【符号の説明】
１，３１：ＲＦ部、２，３３：復調部、３，３４：チャンネルデコーダ、４，３５：オーディオデコーダ、５，３６：ＤＡＢデータ処理部／制御部、６，３７：表示部、７，３８：操作部、８，３９：メモリ、９：不揮発メモリ、３２：アンテナ。
【図１】
2004040386.tif 000003
【図２】
2004040386.tif 000004
【図３】
2004040386.tif 000005
【図４】
2004040386.tif 000006
【図５】
2004040386.tif 000007
【図６】
2004040386.tif 000008
【図７】
2004040386.tif 000009